(57)【要約】【課題】検像専門の技師から撮影専門の技師への問題がある医用画像の通知の容易化及び迅速化を図り、検像専門の技師による検像の強化を図り得る検像装置又は検像システムを提供すること。【解決手段】オーダ情報ｄ１とオーダ情報ｄ１に基づいて撮影された医用画像ｄ２との整合性、及び、医用画像ｄ２の画質が診断において許容範囲内であるか否かの判定により医用画像ｄ２に問題があるかないかの判断を行なうための検像装置３において、外部装置から、オーダ情報ｄ１と医用画像ｄ２とを受信する通信部３４と、医用画像ｄ２に問題があると判断された場合、ＮＧ理由情報を受け付ける操作部３２及び表示部３３と、ＮＧ理由情報を含む連絡情報を生成し、ＮＧ画像を送信してきた外部装置を特定し、当該特定した外部装置へ連絡情報を通信部により送信させる制御部３１と、を備える検像装置３。【選択図】図５
2012130369.tif 000002
【特許請求の範囲】
【請求項１】
オーダ情報と当該オーダ情報に基づいて撮影された医用画像との整合性、及び、当該オーダ情報に基づいて撮影された医用画像の画質が診断において許容範囲内であるか否かの判定により、当該医用画像に問題があるかないかの判断を行なうための検像装置において、
外部装置から、前記オーダ情報、当該オーダ情報に基づいて撮影された医用画像を受信する通信部と、
前記医用画像に問題があると判断された場合、当該問題がある理由に関する情報を受け付ける入力部と、
前記入力部により入力された前記問題がある理由に関する情報を含む連絡情報を生成し、前記医用画像を送信してきた前記外部装置を特定し、当該特定した外部装置へ前記連絡情報を前記通信部により送信させる制御部と、
を備えること、を特徴とする検像装置。
【請求項２】
前記制御部は、
前記問題がある理由に関する情報に加え、前記問題があると判断された医用画像を含む前記連絡情報を生成すること、
を特徴とする請求項１に記載の検像装置。
【請求項３】
前記医用画像の付帯情報及び前記医用画像を受信した際の受信情報に基づいて前記連絡情報を送信する前記外部装置の特定を行なうための連絡先情報の設定を行なう連絡先設定部を備え、
前記制御部は、
前記医用画像の付帯情報及び受信情報と前記連絡先情報とに基づいて、前記連絡情報を送信する前記外部装置を特定すること、
を特徴とする請求項１又は２に記載の検像装置。
【請求項４】
オーダ情報及び当該オーダ情報に基づいて撮影された医用画像を送信する情報処理システムと、前記オーダ情報と前記医用画像との整合性、及び、前記医用画像の画質が診断において許容範囲内であるか否かの判定により、前記医用画像に問題があるかないかの判断を行なうための検像装置と、を含む検像システムにおいて、
前記検像装置は、
前記情報処理システムから、前記オーダ情報、当該オーダ情報に基づいて撮影された医用画像を受信する通信部と、
前記医用画像に問題があると判断された場合、当該問題がある理由に関する情報を受け付ける入力部と、
前記入力部により入力された前記問題がある理由に関する情報を含む連絡情報を生成し、前記医用画像を送信してきた前記情報処理システムを特定し、当該特定した情報処理システムへ前記連絡情報を前記通信部により送信させる制御部と、を有すること、
を特徴とする検像システム。
【請求項５】
前記情報処理システムは、
前記医用画像をＤＩＣＯＭ通信により前記検像装置に送信すること、
を特徴とする請求項４に記載の検像システム。
【請求項６】
前記情報処理システムは、
前記オーダ情報を検像装置に送信するＲＩＳと、
前記医用画像を検像装置に送信するモダリティと、
から構成されること、
を特徴とする請求項４又は５に記載の検像システム。
【発明の詳細な説明】
【技術分野】
【０００１】
本発明は、検像装置及び検像システムに関する。
【背景技術】
【０００２】
病院や診療所では、モダリティを用いた検査が行われる。「モダリティ」とは、例えばＸ線撮影装置、ＭＲＩ撮影装置、ＣＴ撮影装置等の医療装置をいう。通常、モダリティは、撮影業務を専門に行う技師により操作され、撮影専門の技師の操作により患者を撮影して医用画像を生成する。撮影により生成された医用画像は、この後、検像装置に送信される。
【０００３】
「検像装置」とは、モダリティにより撮影された医用画像を画面上に表示して検像するための装置である。「検像」とは、（１）画面上に表示された医用画像が診断において許容される範囲内であるか否かチェックすること、又は、許容範囲内でない場合にはそれを修正すること、（２）画像に付帯された情報の真正性を確認し、問題があった時修正を行うことをいう。「真正性」とは、医師の依頼内容、検査の予約内容、検査の実施内容、検査を受けた患者の情報などは何れも正確であることをいう。
【０００４】
検像が行われる場所は、ダブルチェックによる安全確保、情報に関する責任の所在、画質の再現性確保等の観点から、モダリティによる撮影が行われる場所とは異なる場所であることが望ましく、また異なる場所であるのが一般的である。すなわち、多くの病院や診療所では、撮影室にて撮影専門の技師によりモダリティによる撮影が行われ、撮影により生成された医用画像はネットワークを介して撮影室とは異なる場所に設置された検像装置に集中送信される。そして、そこで検像専門の技師により検像が行われることになる。
【０００５】
検像専門の技師は、迅速かつ適切に、例えば医用画像の画質低下についてチェックし、画質低下があった場合にはそれが通常の診断において許容できる範囲内か否かチェックし、許容範囲内でない場合には撮影専門の技師に対して再度の撮影を依頼するか、或いは許容範囲内になるよう画像処理等を施す。
【０００６】
診断において許容範囲内であると判断された、又は許容範囲内になるよう画像処理が施された検像済み医用画像は、画像管理装置に送信され、その後医師による診断に供されることになる。なお、ここでいう画像管理装置は一般に、ＰＡＣＳ（Picture Archiving and Communication System）と呼ばれる。
検像装置又は検像装置を含むシステムについては、例えば下記に示す特許文献１に記載の技術が存在する。
【０００７】
特許文献１には、他の装置（モダリティ）から医用画像を受信して画像処理を行い、画像処理された医用画像を他の装置（ＰＡＣＳ）に送信する医用画像処理装置（検像装置）であって、受信された医用画像の統計的性質を解析してその結果が適正範囲から外れているとき、適正範囲外であることを警告する検像装置又はシステムが開示されている。
【先行技術文献】
【特許文献】
【０００８】
【特許文献１】特開２００４−２９０３２９号公報
【発明の概要】
【発明が解決しようとする課題】
【０００９】
しかし、特許文献１に記載の技術では、検像装置にて受信した医用画像が予め設定された許容範囲内でない等の問題がある場合、検像専門の技師は、撮影専門の技師に対して再撮影を依頼する必要がある。検像装置とモダリティとが物理的に離れた場所に設けられている場合には、検像専門の技師は、問題のある医用画像を撮影したモダリティが設けられている場所まで行って当該モダリティを操作している撮影専門の技師に直接口頭で再撮影を依頼したり、院内電話を用いて撮影専門の技師へ再撮影を依頼したりするのが現状である。即ち、医用画像に問題があることを撮影専門の技師に迅速に通知する手段がないために、検像専門の技師の業務負担が増加する。これでは、万全なチェックが図れるとはいえない。
【００１０】
本発明の課題は、検像専門の技師から撮影専門の技師への問題がある医用画像の通知の容易化及び迅速化を図り、検像専門の技師による検像の強化を図り得る検像装置又は検像システムを提供することである。
【課題を解決するための手段】
【００１１】
本発明によれば、オーダ情報と当該オーダ情報に基づいて撮影された医用画像との整合性、及び、当該オーダ情報に基づいて撮影された医用画像の画質が診断において許容範囲内であるか否かの判定により、当該医用画像に問題があるかないかの判断を行なうための検像装置において、外部装置から、前記オーダ情報、当該オーダ情報に基づいて撮影された医用画像を受信する通信部と、前記医用画像に問題があると判断された場合、当該問題がある理由に関する情報を受け付ける入力部と、前記入力部により入力された前記問題がある理由に関する情報を含む連絡情報を生成し、前記医用画像を送信してきた前記外部装置を特定し、当該特定した外部装置へ前記連絡情報を前記通信部により送信させる制御部と、を備える検像装置が提供される。
【００１２】
本発明によれば、オーダ情報及び当該オーダ情報に基づいて撮影された医用画像を送信する情報処理システムと、前記オーダ情報と前記医用画像との整合性、及び、前記医用画像の画質が診断において許容範囲内であるか否かの判定により、前記医用画像に問題があるかないかの判断を行なうための検像装置と、を含む検像システムにおいて、前記検像装置は、前記情報処理システムから、前記オーダ情報、当該オーダ情報に基づいて撮影された医用画像を受信する通信部と、前記医用画像に問題があると判断された場合、当該問題がある理由に関する情報を受け付ける入力部と、前記入力部により入力された前記問題がある理由に関する情報を含む連絡情報を生成し、前記医用画像を送信してきた前記情報処理システムを特定し、当該特定した情報処理システムへ前記連絡情報を前記通信部により送信させる制御部と、を有する検像システムが提供される。
【発明の効果】
【００１３】
本発明によれば、医用画像に問題がある場合、当該問題がある理由に関する情報を含む連絡情報を、当該医用画像を送信してきた外部装置へ送信することができる。そのため、検像専門の技師から撮影専門の技師へ、問題がある医用画像の通知の容易化及び迅速化を図ることができ、医用画像に問題があることを通知する業務負担を低減できるため、検像専門の技師による検像の強化を図り得る検像装置及び検像システムを提供することができる。
【図面の簡単な説明】
【００１４】
【図１】検像システムの全体構成を示す図である。
【図２】検像装置の画面に表示される医用画像に問題があると判断された場合の一例を示す図である。
【図３】検像装置の画面に表示される連絡先情報の一例を示す図である。
【図４】検像装置の機能ブロック図を示す図である。
【図５】検像装置の連絡情報送信処理を示す図である。
【図６】連絡情報にＮＧ画像のサムネイルが付帯していない場合の連絡情報画面の一例を示す図である。
【図７】連絡情報にＮＧ画面のサムネイルが付帯する場合の連絡情報画面の一例を示す図である。
【発明を実施するための形態】
【００１５】
本実施形態における検像装置又は検像システムの構成及び動作について、図面を用いて詳細に説明する。なお、本実施形態は本発明の一例に過ぎず、本発明はこれに限定されるものではない。
【００１６】
図１に、検像システム１０の全体構成を示す。
検像システム１０は、ＲＩＳ１、モダリティ２、検像装置３、ＰＡＣＳ４等を備えて構成される。各装置（１〜４）はＬＡＮやＷＡＮにより通信可能に接続されており、通信規格は例えばＨＬ７（Health Level 7）又はＤＩＣＯＭ（Digital Imaging and Communication in Medicine）等が採用される。
【００１７】
ＲＩＳ１は、患者情報又は検査情報を登録して一元管理し、登録された患者情報又は検査情報をオーダ情報ｄ１としてモダリティ２又は検像装置３に送信するための端末である。なお、「ＲＩＳ」とは、本来、「Radiology Information System」の略であり放射線情報システムを意味するが、ここでは放射線情報システムを利用して患者情報又は検査情報を一元管理する端末として説明する。
【００１８】
「患者情報」とは、患者に関する情報であり、例えば患者ＩＤ、氏名、性別、生年月日等が含まれる。また、「検査情報」とは、検査に関する情報であり、例えば、検査ＩＤ、ステーション名等を含むモダリティ情報、検査日、検査時刻、受付番号、担当医師、検査種類、検査条件（検査部位、側性（左、右）、方向（例えば、上下方向（ＣＣ）、斜位方向（ＭＬＯ））、施設等が含まれる。
なお、ステーション名とは、モダリティを識別する識別情報であり、装置の世代や製造メーカ毎に異なる値（シリアル番号）等からなる装置名である。
【００１９】
以下の説明では、ＲＩＳ１により一元管理される患者情報又は検査情報を総称して「オーダ情報」と表現する。なお、オーダ情報は、図示しない受付端末からＨＩＳ（Hospital Information System）によりＲＩＳ１に送信されるか、或いはＲＩＳ１にて撮影専門の技師に直接入力される。
【００２０】
一般に、ＲＩＳ１とモダリティ２は比較的近い場所に設置されており、同一の撮影専門の技師がＲＩＳ１とモダリティ２とを操作する。撮影専門の技師は、ＲＩＳ１からのオーダ情報ｄ１をモダリティ２に送信する作業を行い、モダリティ２に送信されたオーダ情報ｄ１に基づいて、モダリティ２を操作して患者を実際に撮影する作業を行う。
【００２１】
モダリティ２は、患者を撮影して医用画像ｄ２を生成する医療装置であり、例えばＸ線撮影装置、ＭＲＩ装置、ＣＴ装置、超音波診断装置等がある。モダリティ２は、ＲＩＳ１からのオーダ情報ｄ１に基づいて医用画像ｄ２を生成する。モダリティ２は、生成された医用画像ｄ２に付帯情報ｄ２１を付帯させ、ＤＩＣＯＭ規格に則ったデータを生成し、当該生成したデータを検像装置３に送信する。
【００２２】
付帯情報ｄ２１は、患者情報、検査情報、シリーズ情報及びオブジェクト情報を含む。
患者情報及び検査情報は、オーダ情報ｄ１に含まれる患者情報及び検査情報と同様の情報である。シリーズ情報は、一つの検査の中で生成されるモダリティ毎の一連の医用画像の単位（シリーズ）や、一つの検査に対応する所見レポートに関する情報であり、例えば、シリーズを識別するシリーズＩＤ、シリーズ番号、モダリティ名、検査部位等の情報が含まれる。オブジェクト情報は、医用画像を識別するオブジェクトＩＤ、オブジェクト番号（画像番号やレポート番号）等の医用画像に関する情報である。
【００２３】
また、モダリティ２は、他の装置へデータを送信する際には、所在情報ｄ２２を付帯させて送信する。データを受信した装置は、当該所在情報ｄ２２を受信情報として用いる。
所在情報ｄ２２は、モダリティ２の所在を示す情報であり、モダリティ２のＩＰアドレス、ＰＯＲＴ番号、ＡＥ（Application Entity）タイトル等を含む。ＡＥタイトルとは、ＤＩＣＯＭ規格に則った各装置（例えば、モダリティ２）の識別名である。
【００２４】
また、モダリティ２は、図１においては１つだけしか表記されていないがこれに限らず、モダリティ２及びこれに対応するＲＩＳ１を複数備えるとしてもよい。
また、ＲＩＳ１及びモダリティ２は、検像装置３からすれば、各種医用情報（オーダ情報ｄ１、医用画像ｄ２等）を検像装置３に対して送信する一つのシステムとしてとらえることができる。よって以下の説明では、ＲＩＳ１及びモダリティ２を総称して「情報処理システム１１」と表現する。なお、大規模医療機関の多くは、例えばＸ線撮影装置、ＭＲＩ装置、ＣＴ装置等のモダリティを複数備えており、複数の情報処理システム１１を備える。
【００２５】
検像装置３は、モダリティ２により生成された医用画像ｄ２を検像するための端末である。検像装置３は、撮影専門の技師とは異なる検像専門の技師により操作され、検像専門の技師によるチェックのためＲＩＳ１からのオーダ情報ｄ１及びモダリティ２からの医用画像ｄ２を画面上に表示する。検像装置３では、主として（１）ＲＩＳ１からのオーダ情報ｄ１とモダリティ２からの医用画像ｄ２との整合性があるか否かの判定、及び、（２）モダリティ２からの医用画像ｄ２の画質が診断において許容できる範囲内であるか否かの判定、が行なわれ、医用画像を読影するために解決すべき事象があるか否か、即ち、医用画像に問題があるかないかの判断が行なわれる。
【００２６】
図２に、検像装置３の画面に表示される医用画像に問題がある（ＮＧ）と判断された場合の一例を示す。図２に示す画面は、検像画面Ｇ１上にＮＧ理由設定画面Ｇ２が表示されている場合の一例である。
【００２７】
検像画面Ｇ１には、検像対象となる医用画像ｄ２と、当該医用画像のオーダ情報ｄ１と、が表示されており、ＮＧボタンＢ１及び送信ボタンＢ２等が設けられている。検像専門の技師により、表示されている医用画像ｄ２に問題があると判断され、ＮＧボタンＢ１が選択された場合、ＮＧ理由設定画面Ｇ２が表示される。
【００２８】
ＮＧ理由設定画面Ｇ２には、ＮＧ理由選択部Ｂ３、ＯＫボタンＢ４、キャンセルボタンＢ５が設けられている。ＮＧ理由選択部Ｂ３では、表示されている医用画像ｄ２に対する「問題がある理由に関する情報」（以下、「ＮＧ理由情報」とも称する）が複数選択可能となっており、複数の「ＮＧ理由情報」のうちいずれか一つが、検像専門の技師により選択される。
【００２９】
従って、ＮＧ理由設定画面Ｇ２を表示する検像装置３の後述する表示部及び当該画面上のボタンを操作する後述する操作部は、医用画像に問題があると判断された場合に「ＮＧ理由情報」を受け付ける入力部としての機能を実現する。
【００３０】
「ＮＧ理由情報」は、オーダ情報ｄ１と医用画像ｄ２との整合性がとれていない理由や、医用画像ｄ２の画質が診断において許容できる範囲外である理由を示す情報である。「ＮＧ理由情報」は、例えば、線量不足、撮影部位の間違え、ポジショニング不良、マーカー間違い等である。
【００３１】
ＮＧ理由選択部Ｂ３において「ＮＧ理由情報」が選択された後、ＯＫボタンＢ４が選択されると、当該「ＮＧ理由情報」を含む連絡情報が生成され、当該生成された連絡情報が医用画像を送信してきた情報処理システム１１等の連絡先へ送信されることとなる。
【００３２】
図３に、検像装置の画面に表示される連絡情報が送信される装置を特定するための情報（以下、連絡先情報とも称す）の一例を示す。
図３に示す画面は、連絡先情報の設定を行なう連絡先設定画面Ｇ３である。連絡先設定画面Ｇ３には、受信チャンネル欄Ｅ１と、選択された受信チャンネルに対する複数の通信設定欄Ｅ２ａ〜Ｅ２ｃとが設けられている。
【００３３】
受信チャンネル欄Ｅ１には、複数の受信チャンネルが予め登録されている。各受信チャンネルは、受信した医用画像ｄ２に付帯された所在情報ｄ２２に含まれる「ＡＥタイトル」毎に登録されている。
【００３４】
通信設定欄Ｅ２ａ〜Ｅ２ｃそれぞれは、医用画像ｄ２の付帯情報ｄ２１に基づいて、連絡情報を送信する装置（連絡先）との通信を行なうために必要な情報が設定可能となっている。例えば、連絡情報を送信する装置が設けられている場所を示す連絡先名称、連絡情報を送信する装置名（例えば、医用画像の付帯情報に含まれるステーション名が示すシリアル番号）、連絡情報を送信する装置のＩＰアドレス、ＰＯＲＴ番号等が設定可能となっている。
従って、受信チャンネル毎に設定された通信設定欄の情報が「連絡先情報」となる。
【００３５】
連絡先設定画面Ｇ３を表示する検像装置３の後述する表示部及び当該画面上のボタンを操作する後述する操作部は、医用画像ｄ２の付帯情報ｄ２１及び医用画像を受信した際の受信情報（所在情報ｄ２２）に基づいて、連絡情報を送信する装置の特定を行なうための連絡先情報の設定を行なう連絡先設定部としての機能を実現する。
【００３６】
なお、本実施の形態では、通信設定欄においてＩＰアドレスやＰＯＲＴ番号の設定が可能であることから、必ずしも医用画像ｄ２を撮影したモダリティ２が連絡先に設定されるものではない。例えば、撮影専門の技師が使用する携帯用端末や所謂パーソナルコンピュータ等の装置のＩＰアドレスやＰＯＲＴ番号を設定することにより、当該装置を連絡先として設定することも可能である。
【００３７】
図４に、検像装置３の機能ブロック図を示す。
検像装置３は、制御部３１、操作部３２、表示部３３、通信部３４、記憶部３５等を備えて構成される。
【００３８】
制御部３１は、ＣＰＵ、ＲＡＭ、ＲＯＭ等を備えて構成され、ＣＰＵがＲＯＭに記憶されている各種プログラムをＲＡＭに展開し、ＲＡＭに展開された各種プログラムとの協働により検像装置３の動作を集中制御する。
【００３９】
操作部３２は、キーボードやマウス等を備えて構成され、検像専門の技師の操作により操作信号を生成してこれを制御部３１に出力する。
【００４０】
表示部３３は、ＬＣＤや有機ＥＬ等のディスプレイを備えて構成され、制御部３１からの制御信号に基づいて、医用画像ｄ２や各種操作画面を表示する。本実施形態では、表示部３３は、検像画面Ｇ１（図２参照）、ＮＧ理由設定画面Ｇ２（図２参照）、連絡先設定画面Ｇ３（図３参照）を表示する。
【００４１】
通信部３４は、通信用インターフェイス等を備えて構成され、情報処理システム１１からオーダ情報ｄ１及び医用画像ｄ２を受信する。また、通信部３４は、連絡先設定画面により設定された連絡先情報に基づいて特定された装置へ連絡情報を送信し、検像済み医用画像ｄ３をＰＡＣＳ４に送信する。
【００４２】
記憶部３５は、ＲＯＭ等の不揮発性メモリを備えて構成され、システムプログラム、各種処理プログラム等を記憶する。また、記憶部３５は、オーダ情報ｄ１、医用画像ｄ２、連絡先設定画面により設定された連絡先情報、検像済み医用画像ｄ３等を記憶する。
【００４３】
ＰＡＣＳ４は、検像装置３により検像された検像済み医用画像ｄ３を記憶して一元管理する画像管理装置である。なお、「ＰＡＣＳ」とは、本来、「Picture Archiving and Communication System」の略であり放射線画像情報システムを意味するが、ここでは放射線画像情報システムを利用して検像済み医用画像ｄ３を一元管理する端末として説明する。
【００４４】
図５を参照して、検像装置３の連絡情報送信処理について説明する。
検像装置３の連絡情報送信処理は、検像専門の技師が検像装置３を用いて検像する際に行われる処理である。
【００４５】
制御部３１は、モダリティ２から医用画像ｄ２、ＲＩＳ１から当該医用画像ｄ２に対するオーダ情報ｄ１、をそれぞれ受信し、受信したオーダ情報ｄ１及び医用画像ｄ２を含む検像画面Ｇ１を表示部３３に表示する（ステップＳ１）。
【００４６】
表示部３３に表示された検像画面Ｇ１に含まれる医用画像ｄ２は、画像判定処理が行なわれる（ステップＳ２）。
【００４７】
画像判定処理では、医用画像ｄ２とオーダ情報ｄ１との整合性の判定、及び、医用画像ｄ２の画質が診断において許容範囲内であるか否かの判定が行なわれる。この画像判定処理は、検像専門の技師が目視にて行なってもよく、又は、制御部３１によって判定されるものであってもよい。
【００４８】
制御部３１による画像判定処理では、例えば、医用画像に対して各種画像信号処理を施し、当該各種画像信号処理の結果がオーダ情報ｄ１に対して予め設定された条件に該当するか否かに基づいて、医用画像ｄ２とオーダ情報ｄ１との整合性の判定、及び、医用画像ｄ２の画質が診断において許容範囲内であるか否かの判定が行なわれるものである。
【００４９】
制御部３１によって、オーダ情報ｄ１と医用画像ｄ２との整合性の判定、及び、医用画像ｄ２の画質が診断において許容範囲内であるか否かの判定を行なうことができることにより、検像専門の技師による検像作業の負担を軽減することができる。
【００５０】
制御部３１は、画像判定処理の結果に基づいて、検像専門の技師により検像画面Ｇ１のＮＧボタンＢ１が選択されたか否かを判別し、医用画像ｄ２に問題がある（ＮＧ）と判断されたか否かを判別する（ステップＳ３）。
【００５１】
ＮＧボタンＢ１が選択されず送信ボタンＢ２が選択されたことにより、医用画像ｄ２に問題がないと判断された場合（ステップＳ３；Ｎ）、制御部３１は、医用画像ｄ２を検像済み医用画像ｄ３としてＰＡＣＳ４へ送信し（ステップＳ４）、本連絡情報送信処理を終了する。
【００５２】
ＮＧボタンＢ１が選択されたことにより、医用画像ｄ２に問題がある（ＮＧ）と判断された場合（ステップＳ３；Ｙ）、制御部３１は、ＮＧ理由設定画面Ｇ２を表示部３３に表示させ、複数の「ＮＧ理由情報」のうちいずれか一つの選択指示を受け付ける（ステップＳ５）。
【００５３】
制御部３１は、ＮＧ理由設定画面Ｇ２において、ＮＧ理由情報が選択され、ＯＫボタンＢ４が選択されると、ＮＧ理由情報を含む連絡情報を生成する（ステップＳ６）。
【００５４】
制御部３１は、問題があると判断された医用画像（ＮＧ画像）のサムネイルを連絡情報に付帯するか否かを判断する（ステップＳ７）。
ＮＧ画像のサムネイルを連絡情報に付帯するか否かの情報は、予め記憶部３５に記憶されている。なお、ＮＧ画像のサムネイルを連絡情報に付帯するか否かの情報は、操作部３２による操作によって適宜変更可能である。
【００５５】
ＮＧ画像のサムネイルを連絡情報に付帯しない場合（ステップＳ７）、制御部３１は、ステップＳ９に移行する。ＮＧ画像のサムネイルを連絡情報に付帯する場合（ステップＳ７）、制御部３１は、ＮＧ画像のサムネイルを生成し、当該サムネイルを連絡情報に付帯する（ステップＳ８）。
【００５６】
制御部３１は、記憶部３５に記憶されている連絡先情報を参照し、医用画像ｄ２に付帯されている付帯情報ｄ２１及び所在情報ｄ２２に基づいて、連絡先情報に該当する装置（モダリティ２等）を連絡先として特定する（ステップＳ９）。制御部３１は、特定した連絡先へ連絡情報を送信し（ステップＳ１０）、ＰＡＣＳ４への医用画像ｄ２の送信を保留し（ステップＳ１１）、本連絡情報送信処理を終了する。
【００５７】
図６、図７に、連絡情報を受信した装置（例えば、モダリティ２）に表示される画面の一例を示す。
【００５８】
まず、図６に示す画面について説明する。図６に示す画面は、連絡情報にＮＧ画像のサムネイルが付帯していない場合の連絡情報画面Ｇ３ａの一例である。図６に示すように、連絡情報画面Ｇ３ａには、連絡情報一覧領域Ｅ３、連絡情報表示領域Ｅ４ａ、了解ボタンＢ６等が設けられている。
【００５９】
連絡情報一覧領域Ｅ３は、受信した連絡情報をリスト表示する領域である。
連絡情報一覧領域Ｅ３には、連絡情報毎に、連絡情報を受信した「受信日時」、患者情報（例えば、「患者ＩＤ」，「患者氏名」，「性別」等）、ＮＧ画像の有無を示す「連絡事項」、ＮＧ理由情報を示す「ＮＧ理由」、連絡情報を受信したことを検像装置３へ返信したか否か示す「返信」等の項目に対する情報が表示される。
連絡情報一覧領域Ｅ３内における網掛け部分Ｃ１は、操作部３２により選択された連絡情報である。操作部３２により選択されると、選択された連絡情報の背景が網掛けに切り替わって表示される。
【００６０】
連絡情報表示領域Ｅ４ａは、操作部３２により選択された網掛け部分Ｃ１の連絡情報を表示する領域である。また、連絡情報表示領域Ｅ４ａは、「連絡事項」が「ＮＧ画像有」の場合、問題がある理由に関する情報（ＮＧ理由情報）を示すメッセージＭを表示する。
例えば、「連絡事項」が「ＮＧ画像有」、「ＮＧ理由」が「線量不足」である場合には、「当該画像は線量不足でＮＧです。再撮影してください。」等のメッセージＭが連絡情報表示領域Ｅ４ａに表示される。
【００６１】
了解ボタンＢ６は、連絡情報表示領域Ｅ４ａに表示されている連絡情報を、例えば、撮影専門の技師が確認した場合に選択されるボタンである。了解ボタンＢ６が選択されると、連絡情報表示領域Ｅ４ａに表示された連絡情報を受信したことを示す情報が検像装置３へ送信される。
【００６２】
図７に示す画面は、連絡情報にＮＧ画面のサムネイルが付帯する場合の連絡情報画面Ｇ３ｂの一例である。
図７に示すように、連絡情報画面Ｇ３ｂは、連絡情報一覧領域Ｅ３、了解ボタンＢ６、連絡情報表示領域Ｅ４ｂ等が設けられている。なお、連絡情報一覧領域Ｅ３及び了解ボタンＢ６は、図６に示す連絡情報画面Ｇ３ａと同様であるため、同一符号を付し、説明は省略する。
【００６３】
連絡情報表示領域Ｅ４ｂは、操作部３２により選択された網掛け部分Ｃ１の連絡情報を表示する領域である。また、連絡情報表示領域Ｅ４ｂは、「連絡事項」が「ＮＧ画像有」の場合、問題がある理由に関する情報を示すメッセージＭと、ＮＧ画像のサムネイルＤとを表示する。
【００６４】
以上のように、本実施形態によれば、医用画像に問題がある場合、当該問題がある理由に関する情報を含む連絡情報を、当該医用画像を送信してきたモダリティ等の装置へ送信することができる。そのため、検像専門の技師から撮影専門の技師への問題がある医用画像の通知の容易化及び迅速化を図ることができ、医用画像に問題があることを通知する業務負担を低減できるため、検像専門の技師による検像の強化を図り得る検像装置及び検像システムを提供することができる。
また、問題のある医用画像の通知の迅速化が図られることにより、患者が施設内にいる間に再撮影を行うことが可能となる機会が増加するため、再撮影を行うために再来院するという患者に対する負担を低減することもできる。
【００６５】
また、問題があると判断された医用画像（ＮＧ画像）のサムネイルを含む連絡情報を送信することができる。そのため、連絡情報を受信した装置側の撮影専門の技師に対して、どの医用画像に問題があるかを容易かつ迅速に把握させることができる。
【００６６】
また、連絡情報を送信する装置の特定を行なうための連絡先情報の設定を、医用画像ｄ２の付帯情報ｄ２１及び所在情報ｄ２２に基づいて連絡先設定画面Ｇ３にて行うことができる。そのため、医用画像に関係する装置へ連絡情報を送信することができる。
【００６７】
また、情報処理システム１１は、医用画像ｄ２をＤＩＣＯＭ通信により検像装置３に送信することができる。
【００６８】
また、情報処理システム１１を、オーダ情報ｄ１を検像装置３に送信するＲＩＳ１と、医用画像ｄ２を生成して検像装置３に送信するモダリティ２と、から構成することができる。
【符号の説明】
【００６９】
１  ＲＩＳ
２  モダリティ
３  検像装置
４  ＰＡＣＳ
１０  検像システム
１１  情報処理システム
３１  制御部
３２  操作部
３３  表示部
３４  通信部
３５  記憶部
Ｂ１  ＮＧボタン
Ｂ２  送信ボタン
Ｂ３  理由選択部
Ｂ４  ＯＫボタン
Ｂ５  キャンセルボタン
Ｂ６  了解ボタン
Ｄ  サムネイル
ｄ１  オーダ情報
ｄ２  医用画像
ｄ２１  付帯情報
ｄ２２  所在情報
ｄ３  検像済み医用画像
Ｅ１  受信チャンネル欄
Ｅ２ａ〜Ｅ２ｃ  通信設定欄
Ｅ３  連絡情報一覧領域
Ｅ４ａ  連絡情報表示領域
Ｅ４ｂ  連絡情報表示領域
Ｇ１  検像画面
Ｇ２  理由設定画面
Ｇ３  連絡先設定画面
Ｇ３ａ  連絡情報画面
Ｇ３ｂ  連絡情報画面
Ｍ  メッセージ
【図１】
2012130369.tif 000003
【図２】
2012130369.tif 000004
【図３】
2012130369.tif 000005
【図４】
2012130369.tif 000006
【図５】
2012130369.tif 000007
【図６】
2012130369.tif 000008
【図７】
2012130369.tif 000009